(57)【要約】  一実施形態に係る光ファイバ増幅器は、エルビウムが添加されたマルチコアファイバ１０を備えた光ファイバ増幅器１であって、マルチコアファイバ１０は、ねじれが加えられていると共に螺旋状に巻かれたファイバコイル２とされている。
2020067383.tif 000002
【特許請求の範囲】
【請求項１】
エルビウムが添加されたマルチコアファイバを備えた光ファイバ増幅器であって、
前記マルチコアファイバは、ねじれが加えられていると共に螺旋状に巻かれたファイバコイルとされている、
光ファイバ増幅器。
【請求項２】
前記マルチコアファイバは、前記マルチコアファイバの長さ方向に進むにつれて一定の割合でねじれている、
請求項１に記載の光ファイバ増幅器。
【請求項３】
前記マルチコアファイバは、螺旋の一巻きで１回転ねじれている、
請求項１又は請求項２に記載の光ファイバ増幅器。
【請求項４】
エルビウムが添加されたマルチコアファイバを備えた光ファイバ増幅器であって、
前記マルチコアファイバは、螺旋状に巻かれたファイバコイルとされており、
前記マルチコアファイバは、前記マルチコアファイバの長さ方向に交差する断面において、前記断面の中心に位置する中心コアと、前記中心コアの周りに位置する外周コアと、を有し、
前記ファイバコイルの軸線方向に延びる従法線ベクトルと、前記中心コアよりも螺旋の径方向外側に位置する前記外周コアに向かって前記中心コアから延びるベクトルとの成す最小の角度φが０．３°以上である、
光ファイバ増幅器。
【請求項５】
前記マルチコアファイバの曲げ半径が２０ｍｍ以下である、
請求項１から請求項４のいずれか一項に記載の光ファイバ増幅器。
【請求項６】
前記ファイバコイルが巻き付けられた芯を更に備える、
請求項１から請求項５のいずれか一項に記載の光ファイバ増幅器。
【発明の詳細な説明】
【技術分野】
【０００１】
本開示の一側面は、光ファイバ増幅器に関する。
本出願は、２０１８年９月２８日の日本出願第２０１８−１８５２７７号に基づく優先権を主張し、前記日本出願に記載された全ての記載内容を援用するものである。
【背景技術】
【０００２】
非特許文献１には、マルチコアファイバ（ＭＣＦ）を用いて伝送路の高密度化を行うＭＣＦシステム用光増幅技術が記載されている。ＭＣＦシステム用光増幅技術では増幅用ＭＣＦが用いられる。増幅用ＭＣＦとしては７つのエルビウム添加コアを備えたマルチコアＥＤＦ（Erbium-Doped Fiber）が記載されている。マルチコアＥＤＦではコアが六方細密構造に配置されており、コア間距離が４９．５μｍと長く設定されていることによってクロストークの抑制を図っている。また、非特許文献１には、コアの光信号の伝搬方向と、当該コアに隣接するコアの光信号の伝搬方向とを互いに逆方向とすることにより、クロストークを抑制したマルチコアＥＤＦが記載されている。【０００３】
非特許文献２には、結合型ＭＣＦにおけるクロストークを抑制するための技術が記載されている。非特許文献２には、結合型ＭＣＦの曲げ半径をＲｂ、結合型ＭＣＦのコアｎとコアｍの中心間距離をＤｎｍ、コアｎの本来の実効屈折率をｎｅｆｆ，ｃ，ｎ、光ファイバの長さをＬ、波長をλ、結合係数をκｎｍとしたときに、クロストークの平均値μｘが式（１）によって表されることが記載されている。
【数１】
2020067383.tif 000003
式（１）では、クロストークの平均値μｘが光ファイバの長さＬと曲げ半径Ｒｂに比例することが示されている。
【先行技術文献】
【非特許文献】
【０００４】
【非特許文献１】山田、他「空間多重伝送用マルチコアエルビウム添加ファイバ」、フジクラ技報１２７号
【非特許文献２】林、他「次世代通信用マルチコア光ファイバ」、ＳＥＩテクニカルレビュー１９２号
【発明の概要】
【０００５】
本開示の一側面に係る光ファイバ増幅器は、エルビウムが添加されたマルチコアファイバを備えた光ファイバ増幅器である。マルチコアファイバは、ねじれが加えられていると共に螺旋状に巻かれたファイバコイルとされている。
【０００６】
本開示の別の側面に係る光ファイバ増幅器は、エルビウムが添加されたマルチコアファイバを備えた光ファイバ増幅器である。マルチコアファイバは、螺旋状に巻かれたファイバコイルとされている。マルチコアファイバは、マルチコアファイバの長さ方向に交差する断面において、断面の中心に位置する中心コアと、中心コアの周りに位置する外周コアと、を有する。ファイバコイルの軸線方向に延びる従法線ベクトルと、中心コアよりも螺旋の径方向外側に位置する外周コアに向かって中心コアから延びるベクトルとの成す最小の角度φが０．３°以上である。
【図面の簡単な説明】
【０００７】
【図１】図１は、第１実施形態に係る光ファイバ増幅器を模式的に示す斜視図である。
【図２】図２は、図１の光ファイバ増幅器のファイバコイルの平面図である。
【図３】図３は、図２のIII−III線断面図である。
【図４】図４は、図２のIV−IV線断面図である。
【図５】図５は、ファイバコイルの長さ方向への距離とコアの回転角度との関係の例を示すグラフである。
【図６】図６は、第２実施形態に係る光ファイバ増幅器を模式的に示す斜視図である。
【図７】図７は、図６の光ファイバ増幅器のマルチコアファイバを示す断面図である。
【図８】図８は、種々の光ファイバ増幅器における光ファイバの曲げ半径と電力結合係数との関係を示すグラフである。
【図９】図９は、種々の光ファイバ増幅器に対する信号入力と利得及び雑音指数との関係を示すグラフである。
【発明を実施するための形態】
【０００８】
［本開示が解決しようとする課題］
【０００９】
光ファイバ増幅器は、コア間の光結合を許容する結合型ＭＣＦを含むマルチコアエルビウム添加光ファイバを備える。この光ファイバ増幅器は、コア間の光結合を許容しない非結合型ＭＣＦを備えた光ファイバ増幅器と比較して性能が劣化することがある。具体的には、結合型ＭＣＦを有する光ファイバ増幅器（結合型アンプ）では、隣接コアで発生して増強した自然放出光（ＡＳＥ：Amplified Spontaneous Emission）が結合する。そして、信号光等で生じたＡＳＥに加えて隣接コアから結合したＡＳＥによる誘導放出によって励起状態にあるエルビウムイオンが脱励起するため、利得が小さくなるという問題が生じうる。このことを後述の式（２）に示している。
【数２】
2020067383.tif 000004
式（２）において、Ｇは利得、Ｇ０は小信号利得、Ｓは信号入力、Ｓ０は飽和信号入力、Ｘはクロストークである。式（２）よりクロストークＸの増大に伴って利得Ｇが小さくなると共に、見かけのＡＳＥ（元のコアのＡＳＥ及び隣接コアのＡＳＥ等を含む合計のＡＳＥ）が増加する。その結果、雑音指数が利得の低下のみの場合よりも更に劣化する問題が生じうる。
【００１０】
本開示は、クロストークの増大、及び利得の低下を抑制することができる光ファイバ増幅器を提供することを目的とする。
【００１１】
［本開示の効果］
【００１２】
本開示によれば、クロストークの増大、及び利得の低下を抑制することができる。
【００１３】
［実施形態の説明］
最初に本開示の実施形態の内容を列記して説明する。一実施形態に係る光ファイバ増幅器は、エルビウムが添加されたマルチコアファイバを備えた光ファイバ増幅器である。マルチコアファイバは、ねじれが加えられていると共に螺旋状に巻かれたファイバコイルとされている。
【００１４】
一実施形態に係る光ファイバ増幅器は、エルビウムが添加されたマルチコアファイバを備える。よって、１本の光ファイバにおいて複数の光信号を増幅することができ、効率的な光増幅を行うことができる。すなわち、マルチコアファイバのコアのそれぞれに希土類であるエルビウムが添加されている。その結果、エルビウムイオンを励起光で励起状態にすることによって光信号を増幅することができ光信号を高効率で低雑音とすることができる。光ファイバ増幅器において、マルチコアファイバは、螺旋状に巻かれると共にねじれが加えられている。従って、マルチコアファイバ自体を特殊な構造にしなくてもクロストークを抑制することができると共に、利得の低下を抑制することができる。すなわち、ねじれと曲げが共存することによってマルチコアファイバにおける隣接コア間の光結合を抑制することができる。
【００１５】
一実施形態に係る光ファイバ増幅器において、マルチコアファイバは、マルチコアファイバの長さ方向に進むにつれて一定の割合でねじれていてもよい。この場合、マルチコアファイバが長さ方向に進むにつれて一定の割合でねじれていることにより、ねじれがなくクロストークが大きくなりうる区間を短くすることができる。よって、ねじれが一定でない場合と比較してクロストークを小さくすることができる。ねじれが一定である場合には、例えば、５ｄＢ程度クロストークを抑制できる。
【００１６】
一実施形態に係る光ファイバ増幅器において、マルチコアファイバは、螺旋の一巻きで１回転ねじれていてもよい。この場合、クロストークが大きくなりうるねじれがない区間を短くすることができると共に、螺旋の一巻きで１回転ねじることにより、ファイバコイルを容易に形成することができる。
【００１７】
別の実施形態に係る光ファイバ増幅器は、エルビウムが添加されたマルチコアファイバを備えた光ファイバ増幅器である。マルチコアファイバは、螺旋状に巻かれたファイバコイルとされている。マルチコアファイバは、マルチコアファイバの長さ方向に交差する断面において、断面の中心に位置する中心コアと、中心コアの周りに位置する外周コアと、を有する。ファイバコイルの軸線方向に延びる従法線ベクトルと、中心コアよりも螺旋の径方向外側に位置する外周コアに向かって中心コアから延びるベクトルとの成す最小の角度φが０．３°以上である。
【００１８】
別の実施形態に係る光ファイバ増幅器は、エルビウムが添加されたマルチコアファイバを備えるので、前述と同様、エルビウムイオンを励起光で励起状態にすることによって光信号を高効率で低雑音とすることができる。マルチコアファイバの長さ方向に公差する断面において、マルチコアファイバは、当該断面の中心に位置する中心コアと、当該中心コアの周りに位置する外周コアと、を有する。そして、ファイバコイルの軸線方向に延びる従法線ベクトルと、中心コアよりも螺旋の径方向外側に位置する外周コアに向かって中心コアから延びるベクトルとの成す最小の角度φは０．３°以上である。この場合、マルチコアファイバをねじらなくてもクロストークを抑制することができると共に、利得の低下を抑制することができる。
【００１９】
前述の各実施形態に係る光ファイバ増幅器において、マルチコアファイバの曲げ半径が２０ｍｍ以下であってもよい。この場合、マルチコアファイバの曲げ半径が２０ｍｍ以下であることにより、利得の低下を更に抑えることができ、クロストークを更に低減させることができる。
【００２０】
前述の各実施形態に係る光ファイバ増幅器は、ファイバコイルが巻き付けられた芯を更に備えてもよい。この場合、利得の低下を更に抑えることができ、クロストークの更なる抑制に寄与する。
【００２１】
［実施形態の詳細］
本開示の実施形態に係る光ファイバ増幅器の具体例を図面を参照しながら説明する。本発明は、以下の例示に限定されるものではなく、請求の範囲に示され、請求の範囲と均等の範囲における全ての変更が含まれることが意図される。図面の説明において、同一又は相当する要素には同一の符号を付し、重複する説明を適宜省略する。また、図面は理解を容易にするため、一部を簡略化又は誇張して描いており、寸法比率等は図面に記載のものに限定されない。
【００２２】
（第１実施形態）
図１は、第１実施形態に係るファイバコイル２を備えた光ファイバ増幅器１を示す斜視図である。図２は、光ファイバ増幅器１のファイバコイル２を示す平面図である。光ファイバ増幅器１は、入力された信号光を増幅し、増幅後の信号光を出力する。光ファイバ増幅器１は、例えば、マルチコアファイバ１０が螺旋状とされたファイバコイル２と、ファイバコイル２が巻き付けられた芯３とを備える。なお、図１及び後述する図６では、マルチコアファイバの図示を明確にするため芯３を破線で示している。
【００２３】
マルチコアファイバ１０の曲げ半径Ｒは、例えば、１５ｍｍ以上且つ２０ｍｍ以下であるが、適宜変更可能である。芯３は例えば円柱状とされている。しかしながら、芯３の形状及び大きさは適宜変更可能である。また、別の手段でファイバコイル２を保持することができる場合には、芯３を省略することも可能である。
【００２４】
マルチコアファイバ１０は、エルビウム（Ｅｒ）が添加されたマルチコア・エルビウム添加光ファイバアンプ（結合型アンプ）を構成する。ファイバコイル２のマルチコアファイバ１０には、例えば、励起光源から励起光が供給される。一例として、励起光源は、波長０．９８μｍ又は波長１．４８μｍの励起光をマルチコアファイバ１０に供給する半導体レーザ光源を含んでいてもよい。
【００２５】
図３は、マルチコアファイバ１０の基準位置Ｐ１においてマルチコアファイバ１０をファイバ軸に垂直に切断した図２のIII−III線断面を示している。マルチコアファイバ１０は、Ｅｒが添加された複数のコア１１と、複数のコア１１を囲むクラッド１２とを有する。例えば、励起光がマルチコアファイバ１０に供給されると、コア１１に添加されたＥｒ元素が励起され、Ｌバンドの信号光が増幅される。
【００２６】
マルチコアファイバ１０は、例えば、７芯のコア１１を有する。すなわち、マルチコアファイバ１０は、三角格子状に７個のコア１１が配置された７コア光ファイバである。コア１１は、マルチコアファイバ１０の断面の中心に位置する１つの中心コア１１ａと、中心コア１１ａの周りに位置する６つの外周コア１１ｂとを含む。一例として、クラッド１２の直径は１２５μｍであり、各コア１１の直径は９μｍである。但し、これらの値は適宜変更可能である。
【００２７】
マルチコアファイバ１０には、ねじれが加えられている。具体的には、マルチコアファイバ１０は、マルチコアファイバ１０の長さ方向Ｄ１（ファイバコイル２の周方向）に進むにつれてねじれが生じている。例えば、マルチコアファイバ１０は、長さ方向Ｄ１に進むにつれて一定の割合でねじれている。なお、本明細書において、「長さ方向に進むにつれて一定の割合でねじれている」ことには、マルチコアファイバの長さ方向の特定区間を考えた場合、当該特定区間内で厳密に一定の割合でねじれている場合以外の場合も含む。例えば、「長さ方向に進むにつれて一定の割合でねじれている」ことは、当該特定区間内の少なくとも一部の区間を考えた場合に、その一部の区間における単位長さ当たりのねじれ量が、当該特定区間内での長さ当たりの平均ねじれ量の±１０％の範囲内である場合も含んでいる。
【００２８】
図４は、基準位置Ｐ１から距離Ｌだけ離間した位置Ｐ２においてマルチコアファイバ１０をファイバ軸に垂直に切断した図２のIV−IV線断面図である。図５は、マルチコアファイバ１０の長さ方向Ｄ１の距離Ｌとコア１１（外周コア１１ｂ）の回転角度θとの関係の例を示すグラフである。図２、図４及び図５に示されるように、例えば、基準位置Ｐ１からの距離Ｌに比例してコア１１の回転角度θは増加している。すなわち、マルチコアファイバ１０では、基準位置Ｐ１からの距離Ｌに比例して外周コア１１ｂの位置が回転しており、一様にねじれている。
【００２９】
換言すれば、本実施形態のマルチコアファイバ１０は、特定の部位で偏ってねじれていなくてもよく、例えば、長さ方向Ｄ１に沿って一定の割合でねじれている。例えば、マルチコアファイバ１０は、螺旋の一巻きで１回転ねじれていてもよい。この場合、距離Ｌが２πＲのときにθが３６０°となる。なお、本明細書において、「螺旋の一巻きで１回転ねじれている」ことには、厳密に１回転ねじれている場合だけでなく、１回転より若干多くねじれている場合、及び１回転より若干少なくねじれている場合等、約１回転ねじれている場合も含まれる。例えば、３５０°≦θ≦３７０°である場合も「螺旋の一巻きで１回転ねじれている」ことに含まれる。なお、ねじれの方向は、マルチコアファイバ１０の断面における時計回りの方向であってもよいし、マルチコアファイバ１０の断面における反時計回りの方向であってもよい。
【００３０】
また、光ファイバ増幅器１を作製するときには、マルチコアファイバ１０の断面の中心から外れた外周コア１１ｂに可視光を導入する。そして、芯３の周囲にマルチコアファイバ１０を螺旋状に巻きつつ散乱光によってマルチコアファイバ１０のねじれを観察しながらファイバコイル２を形成することにより、光ファイバ増幅器１の作製が完了する。
【００３１】
（第２実施形態）
続いて、第２実施形態に係るファイバコイル２２を備えた光ファイバ増幅器２１について図６及び図７を参照しながら説明する。第２実施形態に係る光ファイバ増幅器２１は、マルチコアファイバ３０がねじれていない点において第１実施形態と異なっている。以降では、第１実施形態と重複する説明を適宜省略する。
【００３２】
図６及び図７に示されるように、マルチコアファイバ３０の中心（中心コア３１ａ）が描く曲線の接ベクトルをｔ、マルチコアファイバ３０の中心が描く曲線の主法線ベクトルをｎ、マルチコアファイバ３０の中心が描く曲線の従法線ベクトルをｂ、中心コア３１ａよりも螺旋の径方向外側に位置する外周コア３１ｂに向かって中心コア３１ａから延びるベクトルをｒ、とすると、ｒとｂとの成す最小の角度φは０．３°以上とされている。
【００３３】
すなわち、ファイバコイル２２の軸線方向Ｄ２に延びる従法線ベクトルｂと、中心コア３１ａよりも螺旋の径方向外側に位置すると共に螺旋の径方向における位置が中心コア３１ａから最も近い外周コア３１ｂから中心コア３１ａまで延びる線分Ｓとの成す角度φが０．３°以上とされている。角度φの上限は、例えば、外周コア３１ｂがマルチコアファイバ３０の断面の周方向に等間隔に並んでいる場合、π／（外周コア３１ｂの個数）である。マルチコアファイバ３０が７コアファイバである場合、例えば、角度φの上限はπ／６（ｒａｄ）、すなわち３０°である。
【００３４】
次に、前述した第１実施形態に係る光ファイバ増幅器１、及び第２実施形態に係る光ファイバ増幅器２１の作用効果について詳細に説明する。まず、第１実施形態に係る光ファイバ増幅器１は、Ｅｒが添加されたマルチコアファイバ１０を備える。よって、１本の光ファイバにおいて複数の光信号を増幅することができ、効率的な光増幅を行うことができる。すなわち、マルチコアファイバ１０のコア１１のそれぞれに希土類であるＥｒが添加されている。その結果、Ｅｒイオンを励起光で励起状態にすることによって光信号を増幅することができ光信号を高効率で低雑音とすることができる。
【００３５】
また、第１実施形態の光ファイバ増幅器１において、マルチコアファイバ１０は、螺旋状に巻かれると共にねじれが加えられている。従って、マルチコアファイバ１０自体を特殊な構造にしなくてもクロストークを抑制することができると共に、利得の低下を抑制することができる。すなわち、ねじれと曲げが共存することによってマルチコアファイバ１０において互いに隣接するコア１１間の光結合を抑制することができる。
【００３６】
第１実施形態に係る光ファイバ増幅器１において、マルチコアファイバ１０は、マルチコアファイバ１０の長さ方向Ｄ１に進むにつれて一定の割合でねじれていてもよい。この場合、マルチコアファイバ１０が長さ方向Ｄ１に進むにつれて一定の割合でねじれていることにより、ねじれがなくクロストークが大きくなりうる区間を短くすることができる。よって、ねじれが一定でない場合と比較してクロストークを小さくすることができる。ねじれが一定である場合には、例えば、後述するように更に５ｄＢ程度クロストークを抑制することができる。
【００３７】
第１実施形態に係る光ファイバ増幅器１において、マルチコアファイバ１０は、螺旋の一巻きで１回転ねじれていてもよい。この場合、クロストークが大きくなりうるねじれがない区間を短くすることができる。螺旋の一巻きで１回転ねじることにより、ファイバコイル２を容易に形成することができる。
【００３８】
第２実施形態に係る光ファイバ増幅器２１は、前述と同様エルビウムが添加されたマルチコアファイバ３０を備える。よって、Ｅｒイオンを励起光で励起状態とすることによって光信号を高効率で低雑音とすることができる。また、マルチコアファイバ３０の長さ方向Ｄ１に交差する断面（例えば図７に示される断面）において、マルチコアファイバ３０は、断面の中心に位置する中心コア３１ａと、中心コア３１ａの周りに位置する外周コア３１ｂと、を有する。そして、ファイバコイル２２の軸線方向Ｄ２に延びる従法線ベクトルｂと、中心コア３１ａよりも螺旋の径方向外側に位置する外周コア３１ｂに向かって中心コア３１ａから延びるベクトルｒとの成す最小の角度φは０．３°以上である。この場合、マルチコアファイバ３０をねじらなくてもクロストークを抑制することができると共に、利得の低下を抑制することができる。
【００３９】
前述の各実施形態において、マルチコアファイバ１０，３０の曲げ半径Ｒが２０ｍｍ以下であってもよい。この場合、マルチコアファイバ１０，３０の曲げ半径Ｒが２０ｍｍ以下であることにより、利得の低下を抑えることができ、クロストークを更に低減させることができる。
【００４０】
前述の各実施形態において、光ファイバ増幅器１，２１は、ファイバコイル２，２２が巻き付けられた芯３を更に備えてもよい。この場合、利得の低下を更に抑えることができ、クロストークの更なる抑制に寄与する。
【００４１】
前述した作用効果のそれぞれについて更に具体的に説明する。マルチコアファイバ１０において、コア間電力結合係数をη、導波光の波長をλ、曲げがない場合の実効屈折率をｎｅｆｆ、コア間距離をｒ、曲げ半径をＲＢ、ファイバ長をＬ、曲げがない場合の電力結合係数をκ、とすると、コア間電力係数ηは下記の式（３）で表される。
【数３】
2020067383.tif 000005
【００４２】
また、ねじれがないマルチコアファイバ３０において、曲げが一様である場合のコア間電力結合係数ηは、導波光の波長をλ、曲げがない場合の実効屈折率をｎｅｆｆ、コア間距離をｒ、曲げ半径をＲＢ、ファイバ長をＬ、曲げがない場合の電力結合係数をκ、前述した従法線ベクトルｂとベクトルｒとの成す角度をφとすると、下記の式（４）で表される。
【数４】
2020067383.tif 000006
【００４３】
図８は、式（３）及び式（４）から曲げ半径と電力結合係数との関係を示したグラフである。図８に示されるように、マルチコアファイバの曲げ半径が小さいほどクロストークを抑えることができ、曲げ半径が２０ｍｍ以下であればクロストークを−６５ｄＢ以下に抑えられる。ねじれが加えられているマルチコアファイバ１０（図８の実線）の場合には、ねじれがないマルチコアファイバと比較してクロストークを小さくできることが分かる。ねじれが一様である場合（図８の太い実線）は、ねじれが一様でなく乱雑である場合（図８の細い実線）と比較して更に５ｄＢ程度クロストークを抑えられる。また、ねじれがなくφが０．３°であるマルチコアファイバ３０（図８の太い破線）は、ねじれがなくφが０°であるマルチコアファイバと比較してクロストークを大幅に小さくできることが分かる。
【００４４】
図９は、芯３の有無、及び曲げ半径に応じたファイバコイルへの信号入力と利得及び雑音指数との関係を実験によって求めたグラフである。図９に示されるように、マルチコアファイバの曲げ半径が１５ｍｍ（図９の黒い丸及び黒い菱形）である場合、マルチコアファイバの曲げ半径が６０ｍｍ（図９の黒い三角）である場合と比較して利得が高いことが分かる。
【００４５】
また、曲げ半径が１５ｍｍで芯３を有する（図９の黒い丸）場合は、曲げ半径が１５ｍｍで芯３を有しない（図９の黒い菱形）場合よりも更に利得が高い。芯３が無い場合には、応力緩和によってマルチコアファイバのねじれが緩和されてねじれ無しの区間が生じることによって利得が低くなりクロストークが生じていると考えられる。また、芯３を有する場合には、芯３にマルチコアファイバを巻き付けるときに、１巻につき１回転程度のねじれが自然と導入されるので、１回転程度のねじれを形成しやすいことが分かった。
【００４６】
一方、雑音指数については、マルチコアファイバの曲げ半径が１５ｍｍ且つ芯３有り（図９の白い丸）の場合が最も低く、マルチコアファイバの曲げ半径が１５ｍｍ且つ芯３無し（図９の白い菱形）の場合が次に低く、マルチコアファイバの曲げ半径が６０ｍｍで芯３無し（図９の白い三角）の場合が最も高かった。以上のように、曲げ半径が１５ｍｍであって且つ芯３を有する場合に特に良好な結果が得られ、クロストークをより確実に抑えられることが分かった。
【００４７】
以上、本開示に係る実施形態について説明したが、本発明は前述した実施形態及び前述した例のそれぞれに限定されることなく、請求の範囲に記載した要旨を逸脱しない範囲において種々の変形が可能である。すなわち、光ファイバ増幅器の各部の形状、大きさ、材料、数及び配置態様は上記の要旨を逸脱しない範囲において適宜変更可能である。
【００４８】
例えば、前述の実施形態では、螺旋の一巻きで１回転ねじれているマルチコアファイバについて説明した。しかしながら、例えば、螺旋の一巻きで半回転、又は螺旋の一巻きで１回転より多くねじれていてもよく、マルチコアファイバのねじれの程度については特に限定されない。
【００４９】
また、前述の実施形態では、長さ方向に進むにつれて一定の割合でねじれているマルチコアファイバについて説明した。しかしながら、例えば、特定の部位でねじれているマルチコアファイバであってもよく、ねじれの態様については特に限定されない。更に、前述の実施形態では、曲げ半径が２０ｍｍ以下であるマルチコアファイバについて説明した。しかしながら、曲げ半径が２０ｍｍよりも長いマルチコアファイバであってもよく、マルチコアファイバの曲げ半径の値は適宜変更可能である。
【符号の説明】
【００５０】
１，２１…光ファイバ増幅器、２，２２…ファイバコイル、３…芯、１０，３０…マルチコアファイバ、１１…コア、１１ａ，３１ａ…中心コア、１１ｂ，３１ｂ…外周コア、１２…クラッド、Ｄ１…長さ方向、Ｄ２…軸線方向、Ｌ…距離、Ｐ１…基準位置、Ｐ２…位置。
【図１】
2020067383.tif 000007
【図２】
2020067383.tif 000008
【図３】
2020067383.tif 000009
【図４】
2020067383.tif 000010
【図５】
2020067383.tif 000011
【図６】
2020067383.tif 000012
【図７】
2020067383.tif 000013
【図８】
2020067383.tif 000014
【図９】
2020067383.tif 000015
【国際調査報告】
2020067383.tif 000016
2020067383.tif 000017
2020067383.tif 000018
2020067383.tif 000019